(57)【要約】【課題】システム全体で管理しているプラント監視信号の変化時刻に時系列的な矛盾が無く、また通信障害による通信データの消失などの影響を受けずに表示、記録することが出来るプラント監視システムを提供する。【解決手段】複数存在する入力装置１ａ，１ｂ，１ｃ，１ｄからのプラント監視信号を、一旦代表装置２で受け、代表装置２が信号の変化を検出し、検出したときの代表装置２の時刻を信号の変化時刻とする。また、代表装置２から表示記録装置３ａ，３ｂ，３ｃに、変化時刻を配信情報に付加して、定周期で配信を行い、表示記録装置では、配信された情報と、前回配信された情報とを比較し、変化があった場合に、配信情報内の時刻情報を、変化時刻とする。これにより、プラント監視信号の変化時刻に時系列的な矛盾が無く、また通信障害などの影響を受けずに表示、記録することが出来る。【選択図】  図１
2009157686.tif 000002
【特許請求の範囲】
【請求項１】
プラント監視信号を入力するための複数の入力装置と、これらの複数の入力装置の各々から入力されるプラント監視信号を受信して管理する代表装置とを備え、前記代表装置は、受信されたプラント監視信号の変化を検出したとき、その変化を検出した時刻をプラント監視信号の変化時刻として管理することを特徴とするプラント監視システム。
【請求項２】
プラント監視信号を入力するための複数の入力装置と、これらの複数の入力装置の各々から入力されるプラント監視信号を受信して管理する代表装置と、各々がこの代表装置に接続され、プラント監視信号の変化を変化時刻とともに表示し記録する複数の表示記録装置とを備え、前記代表装置は、受信されたプラント監視信号の変化を検出したとき、その変化を検出した時刻をプラント監視信号の変化時刻の情報として、受信されたプラント監視信号の情報とともに保持し、保持されたプラント監視信号の情報および変化時刻の情報を、定周期で、前記複数の表示記録装置に配信することを特徴とするプラント監視システム。
【発明の詳細な説明】
【技術分野】
【０００１】
本発明は、プラント監視システムに関し、特にプラント監視システムにおいて、プラント監視信号の変化（デジタル信号のＯＮ／ＯＦＦ情報やアナログ信号の各種異常情報など）に対して、その変化の発生時刻(変化時刻)を付加して表示し、記録する方法の改良に関するものである。
【背景技術】
【０００２】
プラント監視装置では、監視しているプラントからの信号の変化を該当の設備を管理している装置から入力し、プラントを管理する装置に送り、それが変化した時刻と共に表示や記録を行っている。この時刻の情報はその変化を検出した装置が付加するか、情報を表示、記録する装置が付加するかのどちらかの方法となっている。
【０００３】
なお、特許文献１には、プラントデータ取得部で得られたプラントデータに、客観的時刻データ取得部が取得した客観的時刻データを、データ付加部において付加してプラントデータ記録データベースに記録し、また作業情報データ取得部で得られた作業情報データに、客観的時刻データ取得部が取得した客観的時刻データを、データ付加部において付加してプラントデータ記録データベースに記録することにより、記録されたプラントデータおよび作業情報データを客観的な証明に供し、または公的な記録データとして利用することができるようにすることが記載されている。しかし、この特許文献１のものは、プラントデータおよび作業情報データに、それぞれ客観的時刻データを付加することを目的としたものである。
【特許文献１】特開２００７−１６３１９９号公報
【発明の開示】
【発明が解決しようとする課題】
【０００４】
ところで、プラントからの信号の変化を検出する装置と、情報を表示、記録する装置が複数存在するプラント監視システムの場合、情報を表示、記録する装置が時刻を付加する方式では、情報配信の際の、ある時間の通信異常などにより、その間の情報を取りこぼした場合に、表示、記録される時刻の情報にずれが生じてしまう。
【０００５】
また、検出した装置が時刻を付加する方式では、複数存在する検出装置間の時刻の微妙なズレにより、実際に信号の変化が発生した時刻が装置毎にわずかに前後するため、時系列的な矛盾が生じる場合がある。例えば、本来は、第１の検出装置が時刻ｔ３にバルブａが閉から開に変化したことを検出（バルブ開閉を示す信号が０から１に変化）した後、第２の検出装置が時刻ｔ４にポンプが起動したことを検出（ポンプの動作状態を示す信号が０から１に変化）することになっている場合に、第１の検出装置と第２の検出装置との間で時刻の微妙なズレがあると、この時間的順序が逆になってしまうという矛盾が生じる場合がある。
【０００６】
本発明は上記の課題を解決するためになされたもので、プラント監視信号を入力する装置が複数存在しても、システム全体で管理しているプラント監視信号の変化時刻に時系列的な矛盾が無いプラント監視システムを提供することを目的とする。
【０００７】
また、本発明は、システム全体で管理しているプラント監視信号の変化時刻に時系列的な矛盾が無いことに加えて、通信障害による通信データの消失などの影響を受けずに表示、記録することが出来るプラント監視システムを提供することを目的とする。
【課題を解決するための手段】
【０００８】
上記の目的を達成する為に、本発明に係るプラント監視システムは、プラント監視信号を入力するための複数の入力装置と、これらの複数の入力装置の各々から入力されるプラント監視信号を受信して管理する代表装置とを備え、代表装置は、受信されたプラント監視信号の変化を検出したとき、その変化を検出した時刻をプラント監視信号の変化時刻として管理することを特徴とする。
【０００９】
また、本発明に係るプラント監視システムは、プラント監視信号を入力するための複数の入力装置と、これらの複数の入力装置の各々から入力されるプラント監視信号を受信して管理する代表装置と、各々がこの代表装置に接続され、プラント監視信号の変化を変化時刻とともに表示し記録する複数の表示記録装置とを備え、代表装置は、受信されたプラント監視信号の変化を検出したとき、その変化を検出した時刻をプラント監視信号の変化時刻の情報として、受信されたプラント監視信号の情報とともに保持し、保持されたプラント監視信号の情報および変化時刻の情報を、定周期で、前記複数の表示記録装置に配信することを特徴とする。
【発明の効果】
【００１０】
本発明によれば、プラント監視信号を入力する装置が複数存在しても、システム全体で管理しているプラント監視信号の変化時刻に時系列的な矛盾を無くすることができる。また、これに加えて、通信障害による通信データの消失などの影響を受けずに表示、記録することが出来る。
【発明を実施するための最良の形態】
【００１１】
以下、図面を参照して本発明の実施形態について詳細に説明する。なお、以下の図において、同符号は同一部分または対応部分を示す。
【００１２】
図１は、本発明の一実施形態に係るプラント監視システムの構成を示す図である。同図に示すように、このプラント監視システムは、プラント監視信号をそれぞれ入力する複数の入力装置（例えばコントローラ）１ａ，１ｂ，１ｃ，１ｄ、これら複数の入力装置１ａ，１ｂ，１ｃ，１ｄからのプラント監視信号を受信してこの情報を管理する代表装置２、およびプラント監視信号の変化をそれぞれ表示、記録する複数の表示記録装置３ａ，３ｂ，３ｃより構成される。なお、これらの入力装置１ａ，１ｂ，１ｃ，１ｄ、代表装置２、および表示記録装置３ａ，３ｂ，３ｃは、例えばＬＡＮなどにより接続されている。
【００１３】
図２は、代表装置２におけるプラント監視信号の時刻管理機能に関する主要部の構成を示すブロック図である。プラント監視信号を入力する入力装置１ａ，１ｂ，１ｃ，１ｄからのプラント監視信号を受信し、受信したプラント監視信号の情報を保持する情報保持手段２１と、その前回の情報を保持している前回情報保持手段２２、情報保持手段２１の情報と前回情報保持手段２２の情報との比較を行い、変化（違い）が検出された時の時刻（変化時刻）の情報を保持する時刻情報保持手段２３により構成される。
【００１４】
図３は、表示記録装置３ａ，３ｂ，３ｃの各々におけるプラント監視信号の時刻管理機能に関する主要部の構成を示すブロック図である。代表装置２から配信された入力装置１ａ，１ｂ，１ｃ，１ｄのプラント監視信号の情報を保持する情報保持手段３１と、その前回の情報を保持している前回情報保持手段３２、情報保持手段３１に保持されているプラント監視信号の情報に付加されている時刻(変化時刻)の情報を保持する時刻情報保持手段３３と、情報保持手段３１の情報と前回保持手段３２の情報との比較によって検出された変化情報とその情報に付加された時刻の情報とのセットの変化情報を保持する変化情報保持手段３４により構成される。
【００１５】
次に、図４を参照して、この実施形態の動作について説明する。
【００１６】
複数存在する入力装置１ａ，１ｂ，１ｃ，１ｄからのプラント監視信号を代表装置２に入力する。代表装置２では、受信したプラント監視信号の情報を情報保持手段２１に保持するとともに、この情報保持手段２１に保持された情報と、前回情報保持手段２２に保持されている前回情報との比較を行い、変化の検出を行う。変化を検出した場合には、時刻情報保持手段２３に現在の代表装置の時刻をセット（保持）するとともに、情報保持手段２１に保持された情報を前回情報保持手段２２に保持させることにより、前回情報保持手段２２に保持されている前回情報を更新する。そして、情報保持手段２１および時刻情報保持手段２３に保持された情報を、表示記録装置３ａ，３ｂ，３ｃに配信する。
【００１７】
図４は、情報保持手段２１に保持される入力装置１ａ，１ｂ，１ｃ，１ｄのプラント監視信号の情報、および時刻情報保持手段２３に保持される時刻情報の時間的推移の例を示したものであるが、時刻ｔ３で、情報保持手段２３に保持される入力装置１ａの情報が１となったため、前回情報保持手段２２に保持されている前回情報と比較されて、変化が検出され、時刻情報保持手段２３に時刻情報としてｔ３がセットされ、また、前回情報保持手段２２に保持される前回情報が更新される。時刻ｔ６においても、情報保持手段２３に保持される入力装置１ｂの情報が１となったため、前回情報保持手段２２に保持されている前回情報と比較されて変化が検出され、時刻情報保持手段２３に時刻情報としてｔ６がセットされ、また、前回情報保持手段２２に保持される前回情報が更新される。
【００１８】
この代表装置２の情報保持手段２１および時刻情報保持手段２３に保持された情報の表示記録装置３ａ，３ｂ，３ｃ，３ｄへの配信処理は、定周期で（例えば、５００ｍｓ毎に）繰り返し行う。
【００１９】
表示記録装置３ａ，３ｂ，３ｃの各々においては、定周期で代表装置２から配信される情報を受信し、受信した入力装置１ａ，１ｂ，１ｃ，１ｄの情報は情報保持手段３１に、またこの情報に付加されている時刻情報は時刻情報保持手段３３に保持するとともに、この情報保持手段３１に保持された情報と、前回情報保持手段３２に保持されている前回情報との比較を行い、変化を検出する。変化が有った場合は、その変化情報に、代表装置２より配信され時刻情報保持手段３３に保持された時刻情報を付加し、この時刻情報が付加された変化情報を変化情報保持手段３４に保持するとともに、情報保持手段２１に保持された情報を前回情報保持手段２２に保持させることにより、前回情報保持手段２２に保持されている前回情報を更新する。
【００２０】
代表装置２から表示記録装置３ａ，３ｂ，３ｃ，３ｄへの配信が、例えば図４に示すｔ１、ｔ２、ｔ３、ｔ４、ｔ５、ｔ６、ｔ７、…と定周期で正常に行われている場合は、例えば表示記録装置３ａでは、入力装置１ａの情報が０から１へ変化したという変化情報にｔ３という時刻情報が付加された変化情報、入力装置１ｂの情報が０から１へ変化したという変化情報にｔ６という時刻情報が付加された変化情報が変化情報保持手段３４に保持される。この変化情報保持手段３４に保持された情報は、適宜の方法で表示され、また記録される。
【００２１】
一方、図１に示す代表装置２と表示記録装置３ａの間のＡにおいて、例えば、ｔ２からｔ４まで通信障害が発生して、表示記録装置３ａに対するｔ２、ｔ３、ｔ４の配信データが消失した場合、表示記録装置３ａにおいては、次のｔ５における配信データにより、入力装置１ａの情報が０から１へ変化したことが検出されるが、このときの入力装置１ａ，１ｂ，１ｃ，１ｄの情報に、ｔ３という時刻情報が付加されて配信されているので、入力装置１ａの情報が０から１へ変化したという変化情報にｔ３という時刻情報が付加された変化情報が変化情報保持手段３４に保持されることになる。
【００２２】
このように、表示記録装置３ａ，３ｂ，３ｃの各々においては、もし、代表装置２からの配信が何らかの障害により消失しても次の配信のデータにより変化が検出されれば、その配信時に付加されている時刻情報により代表装置２が付加した時刻を利用することが出来るため、この影響を受けない。
【００２３】
以上説明したように、この実施形態によれば、システム全体で管理するプラント監視信号を一旦、代表装置で受け、代表装置が信号の変化を検出し、検出したときの代表装置の時刻を信号の変化時刻とすることで、プラント監視信号を入力する装置が複数存在するシステムでも信号の変化時刻に時系列的な矛盾が発生しない。
【００２４】
また、代表装置から表示記録装置に信号情報を配信する際に、変化を検出した時刻を配信情報に付加して、定周期で配信を行い、信号情報の配信を受けた表示記録装置では、配信された情報と、前回配信された情報とを比較し、変化があった場合に、配信情報内の時刻情報を、変化時刻とすることで、通信異常などによる配信データの消失が発生しても、複数の表示記録装置で正しい変化時刻の表示記録を行うことができる。
【図面の簡単な説明】
【００２５】
【図１】本発明の一実施形態に係るプラント監視システムの構成を示す図。
【図２】本発明の一実施形態における代表装置の主要部の構成を示すブロック図。
【図３】本発明の一実施形態における表示記録装置の主要部の構成を示すブロック図。
【図４】本発明の一実施形態の動作を説明するための、保持される情報の時間的推移を示す図。
【符号の説明】
【００２６】
１ａ，１ｂ，１ｃ，１ｄ…入力装置
２…代表装置
３ａ，３ｂ，３ｃ…表示記録装置
２１…情報保持手段
２２…前回情報保持手段
２３…時刻情報保持手段
３１…情報保持手段
３２…前回情報保持手段
３３…時刻情報保持手段
３４…変化情報保持手段
【図１】
2009157686.tif 000003
【図２】
2009157686.tif 000004
【図３】
2009157686.tif 000005
【図４】
2009157686.tif 000006